(57)【特許請求の範囲】
【請求項１】
左右一対の組み物からなる商品をサイズ毎に統計したサイズ分布を記憶部に保持するサイズ分布保持手段と、
前記記憶部に保持されている前記サイズ分布と所定のサイズ幅において略同じ比率の分布を、予め決められたサイズ違いに限定した左右別サイズで組み合わせた組合せ商品の販売計画量として算出する販売量算出手段と、
前記販売量算出手段で算出した前記組合せ商品の販売計画量になるように、予め決められたサイズ違いに限定した左右一対の組み物からなる当該組合せ商品を作るために必要な通常商品のサイズ毎の仕入れ数を算出する仕入れ数算出手段と、
を備えることを特徴とする商品発注装置。
【請求項２】
コンピュータを、
左右一対の組み物からなる商品をサイズ毎に統計したサイズ分布を記憶部に保持するサイズ分布保持手段と、
前記記憶部に保持されている前記サイズ分布と所定のサイズ幅において略同じ比率の分布を、予め決められたサイズ違いに限定した左右別サイズで組み合わせた組合せ商品の販売計画量として算出する販売量算出手段と、
前記販売量算出手段で算出した前記組合せ商品の販売計画量になるように、予め決められたサイズ違いに限定した左右一対の組み物からなる当該組合せ商品を作るために必要な通常商品のサイズ毎の仕入れ数を算出する仕入れ数算出手段と、
として機能させることを特徴とするプログラム。
【請求項３】
左右一対の組み物からなる商品の販売にあたって前記商品の発注数を算出する商品発注装置で実行される商品発注方法であって、
前記商品発注装置は、制御部と記憶部を備え、前記制御部において実行される、
サイズ分布保持手段が、前記左右一対の組み物からなる商品をサイズ毎に統計したサイズ分布を前記記憶部に保持するステップと、
販売量算出手段が、前記記憶部に保持されている前記サイズ分布と所定のサイズ幅において略同じ比率の分布を、予め決められたサイズ違いに限定した左右別サイズで組み合わせた組合せ商品の販売計画量として算出するステップと、
仕入れ数算出手段が、前記販売量算出手段で算出した前記組合せ商品の販売計画量になるように、予め決められたサイズ違いに限定した左右一対の組み物からなる当該組合せ商品を作るために必要な通常商品のサイズ毎の仕入れ数を算出するステップと、
を含むことを特徴とする商品発注方法。
【発明の詳細な説明】
【技術分野】
【０００１】
本発明は、商品発注装置、プログラムおよび商品発注方法に関する。
【背景技術】
【０００２】
左右の足のサイズ（足長）が０．５ｃｍ以上違う人は、１０人に１人と少なくない。すなわち、一方の足のサイズが他方の足のサイズよりも小さいのにもかかわらず、大きいほうの足のサイズに合わせて靴を購入している可能性がある。つまり、サイズが小さいほうには、靴の内部を調整するために部分的に詰め物などが施されることになる。なお、女性においては、小さいほうの足のサイズに合わせて靴を購入していることもある。
【０００３】
一般に市販されている靴は、当然ながら、左右同じサイズで販売されており、左右の足長が違う消費者は不便を強いられている。このような場合、左右の足長が違う消費者は、フルオーダやセミオーダ、あるいは同じ靴を２足購入し、不要な１足分を廃棄することで足にあった靴を入手できるが、これらの手法はいずれも費用負担が大きい。
【０００４】
そこで、近年においては、インターネットなどのネットワークを通じて、靴を片方ずつ購入することが可能な電子商取引システムが提案されている（特許文献１参照）。このような電子商取引システムによれば、左右それぞれ違うサイズの製品でも間違うことなく購入することができる。
【０００５】
また、特許文献２には、店頭販売形式において、一足の靴を左右別々に選択して購入することができる靴販売システムが提案されている。
【０００６】
【特許文献１】特開２００２−００７８０５号公報
【特許文献２】特開２００５−３０４７６６号公報
【発明の開示】
【発明が解決しようとする課題】
【０００７】
上述のように、特許文献１，２に開示されているような手法によれば、販売者側で靴を分離し、それぞれ顧客のサイズ（足長）に合うように提供することになる。
【０００８】
しかしながら、販売者側で靴を分離し、それぞれ顧客のサイズ（足長）に合うように提供した場合、最終的には組み合わせできないものが残ってしまうという問題が生じることになる。このような問題は、結局のところ、販売価格に転嫁せざるを得ず、過大な費用負担を消費者に強いることになる。
【０００９】
本発明は、上記に鑑みてなされたものであって、過大な費用負担を消費者に強いることなく、左右一対の組み物からなる商品をばらして左右別サイズを組み合わせた組合せ商品を提供することを目的とする。
【課題を解決するための手段】
【００１０】
上述した課題を解決し、目的を達成するために、請求項１にかかる発明の商品発注装置は、左右一対の組み物からなる商品をサイズ毎に統計したサイズ分布を記憶部に保持するサイズ分布保持手段と、前記記憶部に保持されている前記サイズ分布と所定のサイズ幅において略同じ比率の分布を、予め決められたサイズ違いに限定した左右別サイズで組み合わせた組合せ商品の販売計画量として算出する販売量算出手段と、前記販売量算出手段で算出した前記組合せ商品の販売計画量になるように、予め決められたサイズ違いに限定した左右一対の組み物からなる当該組合せ商品を作るために必要な通常商品のサイズ毎の仕入れ数を算出する仕入れ数算出手段と、を備えることを特徴とする。
【００１２】
また、請求項２にかかる発明のプログラムは、コンピュータを、左右一対の組み物からなる商品をサイズ毎に統計したサイズ分布を記憶部に保持するサイズ分布保持手段と、前記記憶部に保持されている前記サイズ分布と所定のサイズ幅において略同じ比率の分布を、予め決められたサイズ違いに限定した左右別サイズで組み合わせた組合せ商品の販売計画量として算出する販売量算出手段と、前記販売量算出手段で算出した前記組合せ商品の販売計画量になるように、予め決められたサイズ違いに限定した左右一対の組み物からなる当該組合せ商品を作るために必要な通常商品のサイズ毎の仕入れ数を算出する仕入れ数算出手段と、として機能させることを特徴とする。
【００１４】
また、請求項３にかかる発明の商品発注方法は、左右一対の組み物からなる商品の販売にあたって前記商品の発注数を算出する商品発注装置で実行される商品発注方法であって、前記商品発注装置は、制御部と記憶部を備え、前記制御部において実行される、サイズ分布保持手段が、前記左右一対の組み物からなる商品をサイズ毎に統計したサイズ分布を前記記憶部に保持するステップと、販売量算出手段が、前記記憶部に保持されている前記サイズ分布と所定のサイズ幅において略同じ比率の分布を、予め決められたサイズ違いに限定した左右別サイズで組み合わせた組合せ商品の販売計画量として算出するステップと、仕入れ数算出手段が、前記販売量算出手段で算出した前記組合せ商品の販売計画量になるように、予め決められたサイズ違いに限定した左右一対の組み物からなる当該組合せ商品を作るために必要な通常商品のサイズ毎の仕入れ数を算出するステップと、を含むことを特徴とする。
【発明の効果】
【００１７】
本発明によれば、左右一対の組み物からなる商品のサイズを統計したサイズ分布と略同一の分布を有していて、左右別サイズで組み合わせた組合せ商品の販売計画量を算出し、算出した組合せ商品の販売計画量に必要な左右一対の組み物からなる商品のサイズ毎の仕入れ数を算出することにより、サイズ分布が販売分布と略同じになると仮定すれば売れ残りがなくなるとともに、最終的には組み合わせできないサイズの左右一対の組み物からなる商品が残ってしまうという無駄になる部分を極力廃し、通常商品と同額で提供することができるようになるので、過大な費用負担を消費者に強いることもなくなる、という効果を奏する。
【００１８】
また、本発明によれば、左右一対の組み物からなる商品を左右別サイズで組み合わせるにあたり、左右のサイズを任意に選べる形ではなく、予め０．５ｃｍ違い、１．０ｃｍ違い程度の予め決められたサイズの組み合わせに限定することにより、最終的には組み合わせできないサイズの左右一対の組み物からなる商品が残ってしまうという無駄になる部分を極力廃することができる、という効果を奏する。
【発明を実施するための最良の形態】
【００１９】
以下に添付図面を参照して、この発明にかかる商品発注装置、プログラムおよび商品発注方法の最良な実施の形態を詳細に説明する。
【００２０】
本発明の実施の一形態を図１ないし図９に基づいて説明する。本実施の形態は商品発注装置として靴販売業者の靴販売システムにおける商品発注用の商品発注コンピュータを適用した例である。
【００２１】
図１は、本発明の実施の一形態にかかる靴販売システム１００の全体構成を概略的に示すシステム構成図である。図１に示すように、靴販売業者の靴販売システム１００は、通信ネットワークであるインターネット１を通じて靴の販売を行う電子商取引システムである。このような靴販売システム１００は、インターネット１およびインターネットサービスプロバイダのサーバ２を介して、各家庭等に設置されるパーソナルコンピュータ（Personal Computer）３に接続されている。
【００２２】
靴販売システム１００には、インターネット１に接続するＷＷＷ（World Wide Web）サーバ４が備えられており、このＷＷＷサーバ４にはＬＡＮ（Local Area Network）５を介して商品提示用の商品提示コンピュータ６、商品受注用の商品受注コンピュータ７、商品発注用の商品発注コンピュータ８、各種管理用の管理コンピュータ９などが接続されている。
【００２３】
商品提示コンピュータ６は、商取引の対象となる靴に関する情報を商品情報として消費者に提示する機能を有している。なお、詳細は後述するが、本実施の形態においては、左右のサイズ（足長）が違う消費者に対して、事前に左右のサイズを違えた形でアッセンブリした靴を１つの商品とした商品情報を消費者に提示し、ネット販売する。
【００２４】
商品受注コンピュータ７は、商品提示コンピュータ６により提示した商品情報についての消費者からの注文を受け付ける機能を有している。
【００２５】
商品発注コンピュータ８は、商品提示コンピュータ６により商品情報として提示する商品について、メーカーや卸などに対して発注する量を計算する機能を有している。
【００２６】
管理コンピュータ９は、決済などの各種管理用の処理を実行する機能を有している。
【００２７】
このような構成により、靴販売システム１００は、インターネットなどのネットワークを通じて、消費者に対して左右で異なるサイズ（足長）を組み合わせた靴を１つの商品として販売することができるようになっている。
【００２８】
次に、本実施の形態における特徴的な機能について説明する。本実施の形態の特徴的な機能として、商品発注コンピュータ８における発注数算出機能がある。概略的には、左右で異なるサイズ（足長）を組み合わせた靴を１つの商品と考え、その商品を作るために必要な通常商品を逆算して手配することで、無駄になる部分を極力廃し、通常商品と同額での提供を可能とするものである。
【００２９】
図２は、商品発注コンピュータ８のハードウェア構成を示すブロック図である。商品発注コンピュータ８は、情報処理を行うＣＰＵ（Central Processing Unit）１０１、ＢＩＯＳなどを記憶した読出し専用メモリであるＲＯＭ（Read Only Memory）１０２、各種データを書換え可能に記憶するＲＡＭ（Random Access Memory）１０３、各種データベースとして機能するとともに各種のプログラムを格納するＨＤＤ（Hard Disk Drive）１０４、記憶媒体１１０を用いて情報を保管したり外部に情報を配布したり外部から情報を入手するためのＤＶＤドライブ等の媒体駆動装置１０５、ネットワーク２を介して外部の他のコンピュータと通信により情報を伝達するための通信制御装置１０６、処理経過や結果等を操作者に表示するＬＣＤ（Liquid Crystal Display）等の表示部１０７、並びに操作者がＣＰＵ１０１に命令や情報等を入力するためのキーボードやマウス等の入力部１０８等から構成されており、これらの各部間で送受信されるデータをバスコントローラ１０９が調停して動作する。
【００３０】
このような商品発注コンピュータ８では、ユーザが電源を投入するとＣＰＵ１０１がＲＯＭ１０２内のローダーというプログラムを起動させ、ＨＤＤ１０４よりＯＳ（Operating System）というコンピュータのハードウェアとソフトウェアとを管理するプログラムをＲＡＭ１０３に読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００３１】
ここで、商品発注コンピュータ８は、アプリケーションプログラムとして、発注数算出処理プログラムをＨＤＤ１０４に記憶している。この意味で、ＨＤＤ１０４は、発注数算出処理プログラムを記憶する記憶媒体として機能する。
【００３２】
また、一般的には、商品発注コンピュータ８のＨＤＤ１０４にインストールされるアプリケーションプログラムは、ＤＶＤなどの各種の光ディスク、各種光磁気ディスク、フレキシブルディスクなどの各種磁気ディスク、半導体メモリ等の各種方式のメディア等の記憶媒体１１０に記録され、この記憶媒体１１０に記録された動作プログラムがＨＤＤ１０４にインストールされる。このため、ＤＶＤ等の光情報記録メディアやＦＤ等の磁気メディア等の可搬性を有する記憶媒体１１０も、アプリケーションプログラムを記憶する記憶媒体となり得る。さらには、アプリケーションプログラムは、例えば通信制御装置１０６を介してインターネット１から取り込まれ、ＨＤＤ１０４にインストールされても良い。
【００３３】
商品発注コンピュータ８は、ＯＳ上で動作する発注数算出処理プログラムが起動すると、この発注数算出処理プログラムに従い、ＣＰＵ１０１が各種の演算処理を実行して各部を集中的に制御する。発注数算出処理プログラムに従いＣＰＵ１０１が実行する発注数算出処理について以下に説明する。
【００３４】
図３は、商品発注コンピュータ８の機能構成を示すブロック図である。図３に示すように、商品発注コンピュータ８は、発注数算出処理プログラムに従うことにより、サイズ分布保持手段１１と、販売量算出手段１２と、仕入れ数算出手段１３と、を備えている。
【００３５】
サイズ分布保持手段１１は、消費者の靴のサイズ（足長）を統計したサイズ分布をＨＤＤ１０４などに保持する。図４はサイズ分布の一例を示すものであり、男性２５〜６０歳の靴のサイズ（足長）の分布を示すものである（デジタルヒューマン研究センター調べ：Ｎ＝３８９）。
【００３６】
販売量算出手段１２は、サイズ分布保持手段１１に保持されているサイズ分布と略同一の分布を有していて、左右一対の靴をばらして左右別サイズの靴を組み合わせた組合せ商品の販売計画量を算出する。
【００３７】
仕入れ数算出手段１３は、販売量算出手段１２で算出した組合せ商品の販売計画量に必要な靴のサイズ毎の仕入れ数を算出する。
【００３８】
図５は、発注数算出処理の流れを示すフローチャートである。図５に示すように、サイズ分布保持手段１１に保持されているサイズ分布に基づいて販売量算出手段１２が販売計画量を算出する（ステップＳ１）。このようにサイズ分布保持手段１１に保持されているサイズ分布に基づいて販売量算出手段１２が販売計画量を算出するのは、販売分布がサイズ分布と略同じ比率であれば、理論上、売れ残りを最小限に留めることができるからである。
【００３９】
例えば、図６に示す販売計画量は、左右０．５ｃｍ違いの靴のセットを、図４のサイズ分布のＡに基づいて算出したものである。ここで１セットとは、例えば２４．０の靴１足と２４．５の靴１足の左右それぞれを組み合わせ、右２４．０、左２４．５とした１足と右２４．５、左２４．０とした１足との合計２足分のことをいう。つまり、図６の２４．０−２４．５の２セットとは、左２４．０−右２４．５の組合せ商品が２足分、右２４．０−左２４．５の組合せ商品が２足分である。また、２４．５−２５．０の３セットとは、左２４．５−右２５．０の組合せ商品が３足分、右２４．５−左２５．０の組合せ商品が３足分である。また、図７に示す販売計画量は、左右１．０ｃｍ違いの靴のセットを、図４のサイズ分布のＢに基づいて算出したものである。
【００４０】
続くステップＳ２では、販売量算出手段１２で算出した組合せ商品の販売計画量から仕入れ数を算出する。
【００４１】
例えば、図８に示す仕入れ数（足）は、図６に示す組合せ商品の販売計画量から逆算したものである。左右０．５ｃｍ違いの靴のセットの場合、２４．０−２４．５は２セットで組合せ商品の販売が計画されているため、２４．０ｃｍの靴（通常商品）を２足用意すれば良い。また、２４．５−２５．０は３セットで組合せ商品の販売が計画されているため、２４．０−２４．５の２セットと合わせて、２４．５ｃｍの靴（通常商品）を５足用意すれば良い。また、図９に示す仕入れ数（足）は、図７に示す組合せ商品の販売計画量から逆算したものである。
【００４２】
なお、最終的な仕入れ数は、左右０．５ｃｍ違いの靴のセットの場合の仕入れ数と、左右１．０ｃｍ違いの靴のセットの場合の仕入れ数との合計としても良い。
【００４３】
このように本実施の形態によれば、左右で異なるサイズ（足長）の靴を組み合わせるにあたり、左右のサイズを任意に選べる形ではなく、０．５ｃｍ違い、１．０ｃｍ違い程度の予め決められたサイズの組み合わせに限定するとともに、左右で異なるサイズ（足長）を組み合わせた靴を作るために必要な通常商品を逆算して発注することにより、サイズ分布が販売分布と略同じになると仮定すれば売れ残りがなくなるとともに、最終的には組み合わせできないサイズの靴が残ってしまうという無駄になる部分を極力廃し、通常商品と同額で提供することができるようになるので、過大な費用負担を消費者に強いることもなくなる。
【００４４】
なお、本実施の形態においては、左右で異なるサイズ（足長）の靴を組み合わせて販売することを前提に説明したが、これに限るものではなく、手袋や靴下などのような左右一対の組み物からなる商品に適用可能である。
【００４５】
また、本実施の形態においては、インターネットを通じて靴の販売を行う電子商取引システムを前提として説明したが、これに限るものではなく、店頭販売形式においても適用可能であることは言うまでもない。
【図面の簡単な説明】
【００４６】
【図１】本発明の実施の一形態にかかる靴販売システムの全体構成を概略的に示すシステム構成図である。
【図２】商品発注コンピュータのハードウェア構成を示すブロック図である。
【図３】商品発注コンピュータの機能構成を示すブロック図である。
【図４】サイズ分布の一例を示す模式図である。
【図５】発注数算出処理の流れを示すフローチャートである。
【図６】販売計画量の一例を示す模式図である。
【図７】販売計画量の一例を示す模式図である。
【図８】仕入れ数の一例を示す模式図である。
【図９】仕入れ数の一例を示す模式図である。
【符号の説明】
【００４７】
８      商品発注装置
１１      サイズ分布保持手段
１２      販売量算出手段
１３      仕入れ数算出手段
【図１】
0005294052.tif 000002
【図２】
0005294052.tif 000003
【図３】
0005294052.tif 000004
【図４】
0005294052.tif 000005
【図５】
0005294052.tif 000006
【図６】
0005294052.tif 000007
【図７】
0005294052.tif 000008
【図８】
0005294052.tif 000009
【図９】
0005294052.tif 000010